(57)【要約】【課題】使用状況に応じて予め登録しておいた設定に、簡単に切り替えることで、その都度の指示の煩わしさを軽減することができる自動分析装置の運用切り替えシステムを提供すること。【解決手段】システム全体の制御を行なうコンピュータ３０と、該コンピュータに接続され、臨床検査用自動分析装置５０からの測定データ及び各種のデータを記憶する記憶装置と、前記コンピュータ３０に各種のコマンド等を入力する操作部３２と、前記コンピュータと接続され、操作画面として機能するワンタッチディスプレイを備えたディスプレイ３３と、プリンタ３４とを具備し、前記コンピュータは、前記ディスプレイからのディスプレイ切り替えボタンをタッチすることにより、ワンタッチディスプレイを夜間運用設定画面又は昼間運用設定画面に切り替え、更に、所定の機能の選択を行なうことにより、夜間運用設定又は昼間運用設定における最適な項目を設定できるように構成する。【選択図】図１
2011095126.tif 000002
【特許請求の範囲】
【請求項１】
臨床検査用自動分析装置からの測定データを読み込んで分析処理を行なう分析処理システムにおいて、
システム全体の制御を行なうコンピュータと、
該コンピュータに接続され、臨床検査用自動分析装置からの測定データ及び各種のデータを記憶する記憶装置と、
前記コンピュータに各種のコマンド及び設定データを入力する操作部と、
前記コンピュータと接続され、臨床検査用自動分析装置の操作画面として機能するワンタッチディスプレイを備えたディスプレイと、
分析結果及び被検体に貼るラベルを印刷するためのプリンタと、
を具備し、
前記コンピュータは、前記ディスプレイからのディスプレイ切り替えボタンをタッチすることにより、ワンタッチディスプレイを夜間運用設定画面又は昼間運用設定画面に切り替えることができ、
更に、前記ワンタッチディスプレイから所定の機能の選択を行なうことにより、夜間運用設定又は昼間運用設定における最適な項目を設定できるようにした
ことを特徴とする自動分析装置の運用切り替えシステム。
【請求項２】
前記夜間運用設定画面又は昼間運用設定画面は、リアルタイム報告書，ホスト出力，音声ガイダンス及びラベル出力の起動設定を前記ワンタッチディスプレイに設けられた選択ボタンにより複数選択可能に構成されたことを特徴とする請求項１記載の自動分析装置の運用切り替えシステム。
【請求項３】
前記リアルタイム報告書の詳細設定として、印刷対象の設定で「至急」か「通常」の選択を、報告書のナンバ設定では、出力される報告書ナンバを前記記憶装置に予め記憶されているリストから選択することを特徴とする請求項１又は２記載の自動分析装置の運用切り替えシステム。
【請求項４】
業務スタイルとして、夜間のデータは詳細な報告書でプリントし、昼間のデータは見やすい簡易な報告書でプリントすることを特徴とする請求項３記載の自動分析装置の運用切り替えシステム。
【請求項５】
前記ホスト出力のオン／オフの設定を行ない、昼間の業務時はホスト出力をオンにし、夜間の業務時にはホスト出力をオフにしておくことを特徴とする請求項２記載の自動分析装置の運用切り替えシステム。
【請求項６】
前記音声ガイダンスの詳細設定として、音声対象を「至急」と「通常」の中から選択し、音声内容を「検体ナンバ」，「位置ナンバ」，「コメント」から選択可能に構成したことを特徴とする請求項２記載の自動分析装置の運用切り替えシステム。
【請求項７】
前記ラベル出力を、採血場所が利用できない場合、検体に貼る検体番号ラベルを前記プリンタから出力可能としたことを特徴とする請求項１又は２記載の自動分析装置の運用切り替えシステム。
【発明の詳細な説明】
【技術分野】
【０００１】
本発明は自動分析装置の運用切り替えシステムに関し、更に詳しくは生化学、免疫、尿他の臨床検査用自動分析装置の運用切り替えシステムに関する。
【背景技術】
【０００２】
例えば血液や尿のような生体試料について、複数項目についての分析を行なうようにした臨床検査用の自動分析装置が知られている。図４は生化学自動分析装置の外観構成例を示す図である。従来の生化学自動分析装置１は、生体試料を入れた所定数のサンプル容器２、２、…および通常の希釈液である生理食塩水以外の特別な希釈液を入れた希釈液容器３、３、…がセットされるサンプルターンテーブル４、サンプル容器２から吸引され、希釈されたサンプルを入れる希釈容器５、５、…がセットされる希釈ターンテーブル６、第１試薬を入れた所定数の第１試薬容器７、７、…がセットされる第１試薬ターンテーブル８、第２試薬を入れた所定数の第２試薬容器９、９、…がセットされる第２試薬ターンテーブル１０、希釈ターンテーブル６の希釈容器５からサンプリングした希釈サンプルと、第１試薬ターンテーブル８の第１試薬容器７からサンプリングした第１試薬および第２試薬ターンテーブル１０の第２試薬容器９からサンプリングした第２試薬をそれぞれ入れて反応させる所定数の反応容器１１、１１、…がセットされる反応ターンテーブル（以下、回転反応器と呼ぶ）１２からなっている。
【０００３】
サンプルターンテーブル４においては、外側にサンプル容器２、２、…が２列配置されているとともに、内側に希釈液容器３、３、…が２列配置され、これらの容器２、２、…;３、３、…はそれぞれ所定本数セットされている。そして、このサンプルターンテーブル４は所定速度でステップ送りされている。
【０００４】
サンプルターンテーブル４の周囲には、サンプル希釈ピペット１３が配置されている。このサンプル希釈ピペット１３は、図示しないサンプル希釈ピペット左右・上下駆動機構により左右、上下に駆動されて、サンプルターンテーブル４と希釈ターンテーブル６との間で、図示しない洗浄装置を通って左右の回動により往復動する。そして、サンプル希釈ピペット１３がサンプルターンテーブル４の所定位置においてサンプル容器２に上下動によるアクセスしたとき、図示しないサンプル用ポンプが作動してサンプルを所定量吸引し、希釈ターンテーブル６の所定位置において希釈容器５にアクセスしたとき、このサンプルとともにサンプル希釈ピペット１３自体から供給される所定量の希釈液（通常は生理食塩水）を注入し、その結果、サンプルが希釈容器５内で所定倍数に希釈されるようにしている。その後、サンプル希釈ピペット１３は図示しない希釈洗浄装置により洗浄されるようになっている。
【０００５】
希釈ターンテーブル６の周囲には、サンプル希釈ピペット１３の他に、サンプリングピペット１４、希釈撹拌装置１５、洗い壷と呼ばれている希釈洗浄装置１６が配置されている。希釈容器５内の希釈サンプルは、希釈撹拌装置１５により撹拌されて、試料が均一に希釈される。これらの各装置１３、１４、１５、１６の配置の自由度を確保するために、希釈ターンテーブル６は、この希釈ターンテーブル６上の円周上に配置された希釈容器５の総数と共通の因数を持たない数を１ステップの送り数としてステップ送りされるようになっている。
【０００６】
サンプリングピペット１４は、図示しないサンプリングピペット左右・上下駆動機構により左右、上下に駆動されて、希釈ターンテーブル６と回転反応器１２との間で希釈洗浄装置１６を通って左右の回動により往復動するようになっている。そして、サンプリングピペット１４は、希釈ターンテーブル６の所定位置において上下動により希釈容器５にアクセスしたとき、図示しない希釈サンプル用ポンプが作動して、所定量の希釈サンプルを吸引し、回転反応器１２の所定位置において、上下動により、反応容器１１にアクセスしたとき、吸引した希釈サンプルをその反応容器１１に注入するようにしている。
【０００７】
希釈撹拌装置１５は、図示しない撹拌装置上下駆動機構により上下に駆動されるとともに、図示しない撹拌棒が前後運動（希釈ターンテーブル６の径に沿う方向の直進往復運動）されるようになっている。そして、希釈ターンテーブル６の所定の希釈容器５の希釈サンプル内に撹拌棒が進入しかつ前後運動することによりサンプルの希釈が均一に行われるようにしている。希釈洗浄装置１６は、希釈サンプルを反応容器１１に注入した後、サンプリングピペット１４を洗浄するようになっている。
【０００８】
回転反応器１２の周囲には、サンプリングピペット１４の他に、第１試薬ピペット１７、第２試薬ピペット１８、第１反応撹拌装置１９、第２反応撹拌装置２０、検出器である多波長光度計２１、恒温槽２２および反応容器洗浄装置２３が配置されている。
【０００９】
第１試薬ピペット１７は、図示しない第１試薬ピペット左右・上下駆動機構により左右、上下に駆動されて、回転反応器１２と第１試薬ターンテーブル８との間で、左右の回動による往復動するようになっている。そして、第１試薬ピペット１７は、第１試薬ターンテーブル８の所定位置において、上下動により第１試薬容器７にアクセスしたとき、図示しない第１試薬用ポンプが作動して、所定量の第１試薬を吸引し、回転反応器１２の所定位置において、上下動により反応容器１１にアクセスしたとき、吸引した第１試薬をその反応容器１１に注入するようにしている。
【００１０】
第１反応撹拌装置１９は、図示しない撹拌装置上下駆動機構により上下に駆動されるとともに、図示しない撹拌棒が、回転運動かつ前後方向の往復動をされるようになっている。そして、回転反応器１２の所定の反応容器１１の希釈サンプルと第１試薬内に撹拌棒が進入した後、回転かつ前後運動（回転反応器１２の径に沿う方向の直進往復運動）することにより、希釈サンプルの反応が均一に、かつ、確実に行われるようにしている。
【００１１】
第２試薬ピペット１８は、図示しない第２試薬ピペット左右・上下駆動機構により左右、上下に駆動されて、回転反応器１２と第２試薬ターンテーブル１０との間で、左右の回動による往復動するようになっている。そして、第２試薬ピペット１８は、第２試薬ターンテーブル１０の所定位置において、上下動により第２試薬容器９にアクセスしたとき、図示しない第２試薬用ポンプが作動して、所定量の第２試薬を吸引し、回転反応器１２の所定位置において、上下動により反応容器１１にアクセスしたとき、吸引した第２試薬をその反応容器１１に注入するようにしている。
【００１２】
第２反応撹拌装置２０は、第１反応撹拌装置１９とまったく同じ構成を有しており、図示しない撹拌装置上下駆動機構により、上下に駆動されるとともに、後述する撹拌棒が、回転運動かつ前後方向の往復動をされるようになっている。そして、回転反応器１２の所定の反応容器１１の希釈サンプルと第２試薬内に撹拌棒が進入した後、回転かつ前後運動することにより、希釈サンプルの反応が、均一にかつ確実に行われるようにしている。
【００１３】
多波長光度計２１は、反応容器１１内の希釈サンプルの吸光度等を測定して、反応容器１１内での希釈サンプルの反応状態を検出するようにしている。恒温槽２２は、回転反応器１２の反応容器１１を、常時一定の温度に保持するようになっている。
【００１４】
反応容器洗浄装置２３は、図示しない廃液ポンプにより、反応容器１１に入っている検出の終了した希釈サンプルを吸入し、かつ、これを廃液タンクに排出した後、図示しない洗浄液ポンプにより、洗浄液をこの反応容器１１内に供給して、この洗浄液により反応容器１１内を洗浄し、その後洗浄液を廃液タンクに排出するようになっている。
【００１５】
これらの各装置１４、１７、１８、１９、２０、２１、２２、２３の配置の自由度を確保するために、回転反応器１２も、この回転反応器１２上の周縁部に全周に渡って配置された反応容器１１の総数と共通の因数を持たない数を１ステップ当たりの反応容器の送り数として、ステップ送りされるようになっている。その場合、回転反応器１２は、１ステップにつき半周以上回転するようにされている。
【００１６】
このような生化学自動分析装置の報告書発行方法、オンラインシステム出力等の設定の切り替えを行なう際は、その都度それぞれの設定画面に設けられた選択肢から動作指示することにより決定していた。
【００１７】
従来の生化学自動分析装置としては、複数の反応容器が周縁部に配置された回転反応器を備え、１つの反応容器が回転反応器の外周をほぼ一周するのに必要なステップ数が２であるような生化学自動分析装置において、回転反応器の１ステップの送り反応容器数をｎ、回転反応器の反応容器の総数をＮ、反応容器が最初の位置から２ステップ送り後に最初の位置からずれる反応容器本数をＸとするとき、計算式２ｎ＝Ｎ＋Ｘで表される正の整数ｎ、Ｎ、Ｘにより、回転反応器の回転動作が制御されることを特徴とする生化学自動分析装置が知られている（例えば特許文献１参照）。
【先行技術文献】
【特許文献】
【００１８】
【特許文献１】特開２００６−８４２１１号公報（段落００２５〜００３１）
【発明の概要】
【発明が解決しようとする課題】
【００１９】
時間帯の変化に伴いルーチン作業も変化する。作業量が多い昼間と作業量が少ない夜間では、機能動作指示・設定に違いが生じる。従来は、その昼間と夜間の機能動作指示・設定の切り替えを行なうために複数の画面にある設定を一つ一つ変更しなくてはならなかった。更に、設定の変更し忘れや誤操作によって異なった変更をしてしまう等の人為的ミスも問題となっていた。
【００２０】
本発明はこのような課題に鑑みてなされたものであって、使用状況に応じて予め登録しておいた設定に、簡単に切り替えることで、その都度の指示の煩わしさを軽減し、作業の省力化を図れ、また人為的ミスの削減も図ることができる自動分析装置の運用切り替えシステムを提供することを目的としている。
【課題を解決するための手段】
【００２１】
上記の問題を解決するために、本発明は以下のような構成をとっている。
（１）請求項１記載の発明は、臨床検査用自動分析装置からの測定データを読み込んで分析処理を行なう分析処理システムにおいて、システム全体の制御を行なうコンピュータと、該コンピュータに接続され、臨床検査用自動分析装置からの測定データ及び各種のデータを記憶する記憶装置と、前記コンピュータに各種のコマンド及び設定データを入力する操作部と、前記コンピュータと接続され、臨床検査用自動分析装置の操作画面として機能するワンタッチディスプレイを備えたディスプレイと、分析結果及び被検体に貼るラベルを印刷するためのプリンタとを具備し、前記コンピュータは、前記ディスプレイからのディスプレイ切り替えボタンをタッチすることにより、ワンタッチディスプレイを夜間運用設定画面又は昼間運用設定画面に切り替えることができ、更に、前記ワンタッチディスプレイから所定の機能の選択を行なうことにより、夜間運用設定又は昼間運用設定における最適な項目を設定できるようにしたことを特徴とする。
【００２２】
（２）請求項２記載の発明は、前記夜間運用設定画面又は昼間運用設定画面は、リアルタイム報告書，ホスト出力，音声ガイダンス及びラベル出力の起動設定を前記ワンタッチディスプレイに設けられた選択ボタンにより複数選択可能に構成されたことを特徴とする。  （３）請求項３記載の発明は、前記リアルタイム報告書の詳細設定として、印刷対象の設定で「至急」か「通常」の選択を、報告書のナンバ設定では、出力される報告書ナンバを前記記憶装置に予め記憶されているリストから選択することを特徴とする。
【００２３】
（４）請求項４記載の発明は、業務スタイルとして、夜間のデータは詳細な報告書でプリントし、昼間のデータは見やすい簡易な報告書でプリントすることを特徴とする。
（５）請求項５記載の発明は、前記ホスト出力のオン／オフの設定を行ない、昼間の業務時はホスト出力をオンにし、夜間の業務時にはホスト出力をオフにしておくことを特徴とする。
【００２４】
（６）請求項６記載の発明は、前記音声ガイダンスの詳細設定として、音声対象を「至急」と「通常」の中から選択し、音声内容を「検体ナンバ」，「位置ナンバ」，「コメント」から選択可能に構成したことを特徴とする。
【００２５】
（７）請求項７記載の発明は、前記ラベル出力を、採血場所が利用できない場合、検体に貼る検体番号ラベルを前記プリンタから出力可能としたことを特徴とする。
【発明の効果】
【００２６】
発明は以下のような効果を有している。
（１）請求項１記載の発明によれば、前記ワンタッチディスプレイから所定の機能の選択を行なうことにより、夜間運用設定又は昼間運用設定における最適な項目を設定できるようにしたので、使用状況に応じて予め登録しておいた設定に、簡単に切り替えることで、その都度の指示の煩わしさを軽減し、作業の省力化を図れ、また人為的ミスの削減も図ることができる自動分析装置の運用切り替えシステムを提供することができる
（２）請求項２記載の発明によれば、前記夜間運用設定画面又は昼間運用設定画面は、リアルタイム報告書，ホスト出力，音声ガイダンス及びラベル出力の起動設定を前記ワンタッチディスプレイに設けられた選択ボタンにより複数選択可能にすることができる。
【００２７】
（３）請求項３記載の発明によれば、前記リアルタイム報告書の詳細設定として、印刷対象の設定で「至急」か「通常」の選択を、報告書のナンバ設定では、出力される報告書ナンバを前記記憶装置に予め記憶されているリストから選択することができる。
【００２８】
（４）請求項４記載の発明によれば、夜間のデータは詳細な報告書でプリントし、昼間のデータは見やすい簡易な報告書でプリントすることにより、業務スタイルに応じたプリントをすることができる。
【００２９】
（５）請求項５記載の発明によれば、昼間の業務時はホストをオン、夜間の業務時はホストをオフにして業務に応じたホストの運用を行なうことができる。
（６）請求項６記載の発明によれば、音声内容を必要に応じて最適なものに選択することができる。
【００３０】
（７）請求項７によれば、採血場所が利用できない時に、検体に貼る検体番号ラベルをプリンタで出力することができる。
【図面の簡単な説明】
【００３１】
【図１】本発明を実施するシステム構成例を示す図である。
【図２】夜間運用設定画面の一例を示す図である。
【図３】昼間運用設定画面と夜間運用設定画面の一例を示す図である。
【図４】生化学自動分析装置の外観構成例を示す図である。
【発明を実施するための形態】
【００３２】
以下、本発明の実施の形態について、図面を参照して詳細に説明する。
図１は本発明を実施するシステム構成例を示す図である。図に示すシステムは、臨床検査用自動分析装置からの測定データを読み込んで分析処理を行なう分析処理システムを構成している。図において、３０はシステム全体の制御を行なうコンピュータ、３１は該コンピュータ３０に接続され、臨床検査用自動分析装置からの測定データ及び各種のデータを記憶する記憶装置、３２は前記コンピュータ３０に各種のコマンド及び設定データを入力する操作部、３３は前記コンピュータ３０と接続され、臨床検査用自動分析装置の操作画面として機能するワンタッチディスプレイ３３ａを備えたディスプレイ、３４は分析結果及び被検体に貼るラベルを印刷するためのプリンタである。
【００３３】
コンピュータ３０としては、例えばパーソナルコンピュータが用いられ、記憶装置３１はデータベースを兼ねており、例えばハードディスク装置が用いられる。操作部３２としては、例えばキーボードが用いられ、ディスプレイ３３としては、例えば液晶表示装置（ＬＣＤ）が用いられる。ワンタッチディスプレイ３３ａには、ソフトウェアキーが表示され、そのキーをタッチすることにより、所定のコマンドが入力されるようになっている。
【００３４】
３５はコンピュータ３０に接続されたマウス、４０はコンピュータ３０と接続されるホストコンピュータ（以下単にホストと略す）、４１は該ホスト４０と接続される各種情報を記憶する記憶装置で、データベース（ＤＢ）が用いられる。５０は図４において説明した臨床検査用自動分析装置としての生化学自動分析装置である。該生化学自動分析装置５０は、例えば血液や尿とかの成分検査を行なうものである。５５は本発明システムを操作するオペレータである。このように構成されたシステムの動作を説明すれば、以下の通りである。
（実施例１）
自動分析装置の操作画面（設定画面）の一つとして夜間運用設定、昼間運用設定の画面を作成する。図２は夜間運用設定画面の一例を示す図である。それぞれの設定画面は、メイン画面の一段下層にあるユーザメンテナンス画面から編集することができる。図２に示す画面はユーザメンテナンス画面であり、ワンタッチディスプレイ３３ａ上に表示される。
【００３５】
それぞれの画面内にはリアルタイム報告書ボタン６１、ホスト出力ボタン６２、音声ガイダンスボタン６３、ラベル出力ボタン６４が設けられている。これらボタン６１〜６４で各項目のオン／オフ設定を行なうことが可能である。具体的には、これらボタン６１〜６４を指でタッチすることによりオンになる。これらボタンが押されたら、ワンタッチディスプレイ３３ａからタッチされたボタンの２次元の信号（Ｘ＝ｉ，Ｙ＝ｊ：ｉ，ｊは任意の整数）がコンピュータ３０に入力され、該コンピュータ３０はどのボタンが押されたかを判定することができる（以下同じ）。
【００３６】
リアルタイム報告書の詳細設定として、印刷対象と報告書Ｎｏ．の設定を行なうことが可能である。印刷対象の選択では、至急ボタン６５と通常ボタン６６から複数選択することが可能である。ここで、「至急」とは「至急検体」のことであり、「通常」とは「通常検体」のことである。報告書Ｎｏ．選択では、出力される報告書Ｎｏ．を予め記憶装置３１に記憶されていたリスト内から選択することが可能である。
【００３７】
具体的には、マウス３５でオペレータ５５が矢印ボタン６７ｂをクリックすれば、報告書Ｎｏ．の表示が表示部６７ａで変化する。矢印ボタン６７ｂをクリックして所望の報告書Ｎｏ．が表示部６７ａに表示されるのを確認する。コンピュータ３０は、どの報告書が選択されたかをワンタッチディスプレイ３３ａからの信号により確認することができる。
【００３８】
これにより、業務スタイルに応じて報告書の印刷形式を切替えることが可能となる。例として、夜間のデータは詳細な報告書で印字し、昼間の忙しい時は見やすい簡易な報告書で印字する等の設定が可能である。具体的には、コンピュータ３０が記憶装置３１に記憶されている報告書を読み出して、プリンタ３４からプリントすることにより、報告書を印刷することが可能である。
【００３９】
本発明によれば、ホスト出力のオン／オフ設定を行なうことが可能である。例としては、昼間の業務時はホスト出力ボタン６２をオンにしてホスト４０をオンにし、夜間の業務時にはホスト４０の電源を落としてしまうような状況では、ホスト出力ボタン６２をオフにしておく等の設定が可能である。
【００４０】
このように、本発明によれば、前記夜間運用設定画面又は昼間運用設定画面は、リアルタイム報告書，ホスト出力，音声ガイダンス及びラベル出力の起動設定を前記ワンタッチディスプレイに設けられた選択ボタンにより複数選択可能にすることができる。
【００４１】
また、前記リアルタイム報告書の詳細設定として、印刷対象の設定で「至急」か「通常」の選択を、報告書のナンバ設定では、出力される報告書ナンバを前記記憶装置に予め記憶されているリストから選択することができる。
【００４２】
また、夜間のデータは詳細な報告書でプリントし、昼間のデータは見やすい簡易な報告書でプリントすることにより、業務スタイルに応じたプリントをすることができる。
更に、昼間の業務時はホストをオン、夜間の業務時はホストをオフにして業務に応じたホストの運用を行なうことができる。
【００４３】
また、本発明によれば、音声ガイダンスの詳細設定として、音声対象、音声内容の設定を行なうことが可能である。先ず、オペレータ５５は音声ガイダンスボタン６３を指でタッチと音声ガイダンス選択モードになる。具体的には音声ガイダンスボタン６３をタッチすることにより、その信号がワンタッチディスプレイ３３ａからコンピュータ３０に入力され、該コンピュータ３０は音声ガイダンス選択モードになったことお認識することができる。
【００４４】
音声対象の選択では、至急ボタン６８、通常ボタン６９から選択することが可能である。具体的には、オペレータ５５が至急ボタン６８か通常ボタン６９の何れかを指でタッチすることで、選択することができる。これにより、選択された音声対象信号は、ワンタッチディスプレイ３３ａからコンピュータ３０に通知される。
【００４５】
音声内容の選択では、検定Ｎｏ．ボタン７０、位置Ｎｏ．ボタン７１、コメント１ボタン７２、コメント２ボタン７３から選択可能である。これらボタンがタッチされると、そのタッチされた信号はワンタッチディスプレイ３３ａからコンピュータ３０に入力され、該コンピュータ３０は音声内容の選択ができる。
【００４６】
これにより、業務スタイルに応じた音声ガイダンスの設定を切替えることがことが可能となる。例として、昼間の忙しい時間帯は至急検体のガイダンスのみ設定するようにし、夜間の被検体の少ない時間帯は通常検体にもガイダンスするように設定することが可能となる。
【００４７】
本発明によれば、ラベル出力のオン／オフ設定を行なうことが可能である。このラベル出力の機能は、オペレータ５５がラベル出力ボタン６４をタッチすることによりコンピュータ３０がそのことを認識し、検体に貼るラベルをプリンタ３４で出力する機能である。オン／オフ設定の例として、通常は検体番号ラベル（例えばバーコード）は採血場所で検体に張り付けるが、夜間など採血場所が利用できない場合、検体に貼るためのラベルをプリンタ３４で出力するのである。出力された検体番号ラベルは、検体に貼り付けられる。
【００４８】
上述した動作で設定された内容は、保存ボタン７４をタッチすることで記憶させることができる。記憶させた内容は記憶装置３１に記憶される。一方、前述したような運用設定動作を中止する場合は、オペレータ５５は中止ボタン７５をタッチする。これにより、中止信号がワンタッチディスプレイ３３ａからコンピュータ３０に入力され、コンピュータ３０は入力された信号に基づき、設定情報の記憶装置３１への記憶、設定動作の中止を行わせることができる。
【００４９】
保存ボタン７４を押し保存終了後、現運用種別の変更であれば、即設定が反映される。それ以外の場合には、保存終了後、画面が自動的に閉じる。夜間運用と昼間運用との切り替えは、ディスプレイ３３のメイン画面にあるアイコンを夜間用と昼間用のうちの何れかをオペレータ５５がタッチすることで実現される。
【００５０】
本発明によれば、立ち上げた時間に応じた運用設定でシステムが起動する。例として、ＡＭ６時〜ＰＭ６時での立ち上げ時は昼間運用設定で起動させることが可能である。
（実施例２）
図３は昼間運用設定画面と夜間運用設定画面の一例を示す図である。（ａ）は昼間運用設定画面、（ｂ）は夜間運用設定画面である。図中グレーで塗られたボタンが選択されていることを示している。図２と同一のものは、同一の符号を付して示す。
【００５１】
昼間運用は検体数が多く、システムを熟知しているオペレータがシステムの近くで作業を行なうことが可能な状況である。夜間運用は検体数が少なくシステムを熟知しているオペレータがいない場合が多い状況の設定例を示す。
【００５２】
昼間運用は、通常検体・至急検体ともに多くの検体を分析する状況が想定される。出力データは主にホスト４０で管理される。そのため、システムでは至急検体の分析結果のみを簡易な報告書としてプリントし、音声ガイダンスも至急検体のみガイダンスをする設定をする。システムを熟知しているオペレータ５５がいる場合は、異常のある分析結果は、システムの操作画面により確認が可能であるため、詳細な報告書をプリントする必要はない。また、検体番号のラベルは採血場所等で貼り付けられるため、システムでラベルを出力する必要はない。
【００５３】
夜間運用は、通常検体・至急検体ともに検体数が少ない状況が想定される。夜間はホストの電源を落としてしまうため、ホスト出力ボタン６２をタッチしてホスト出力はオフに設定する。そのため、システムでは、通常検体・至急検体ともに詳細な報告書としてプリントし、分析結果を確認する必要がある。また、音声ガイダンスは、通常検体・至急検体ともにガイダンス対象に設定する。夜間のため採血場所で検体番号のラベルを貼ることができないので、検体に貼るラベルはシステムで出力するように設定する。具体的には、オペレータ５５がラベル出力ボタン６４にタッチしてラベル出力オンにし、プリンタ３４からラベルを出力する。
【００５４】
以上、説明したように、検体数やオペレータの技術・システムの使用環境に合わせた設定をすることで、より便利にシステムを使用することができる。
（実施例３）
夜間／昼間運用設定としてだけでなく、個人・用途別運用設定としての実施も考えることができる。システムは１台でも複数の使用者がいる場合、各人がカスタマイズして設定を登録しておくことで、それぞれのユーザが使いやすい設定を登録しておくことが可能となる。
（実施例４）
設定内容を、リアルタイム報告書・ホスト出力・音声ガイダンスだけでなく、様々な設定を行なうことも可能である。例えば、アラームの警告音の種別や音量の設定を行なうことができるなど、使用状況に応じた設定も考えられる。
（実施例５）
起動する時間によって、昼間／夜間のどちらの設定でシステムが立ち上がるかを登録しておくことが可能である。システムを運用している状況により、システムを起動する時間は様々である。その状況に合わせて登録しておけば、起動した時に切り替えを行なう必要がなくなる。
【００５５】
また、システムには自動起動の機能があり、その起動設定に合わせて昼間／夜間運用の設定も登録しておくことも可能である。
以上説明した本発明の効果を列挙すれば、以下の通りである。
１）予め設定を登録しておくため、その都度行ってきた機能動作指示を省くことができ、オペレーション画面においてアイコンをワンタッチすることで切り替えが行なえるため、作業の省力化を図ることが可能である。
２）自動分析装置のオペレーション画面において、ウィンドウを開かなくてもアイコンで状態を確認できるため、設定状態の確認が容易であり、人的ミスを削減することができる。
【符号の説明】
【００５６】
３０    コンピュータ
３１    記憶装置
３２    操作部
３３    ディスプレイ
３３ａ  ワンタッチディスプレイ
３４    プリンタ
３５    マウス
４０    ホスト
４１    記憶装置
５０    生化学自動分析装置
５５    オペレータ
【図１】
2011095126.tif 000003
【図２】
2011095126.tif 000004
【図３】
2011095126.tif 000005
【図４】
2011095126.tif 000006